(57)【要約】  表示装置における光学シートの皺、撓み、及びシート傷を防止し、輝度ムラ、輝度低下等の不具合を防止することができる光学シートの保持構造を有する表示装置を提供する。  矩形状の光学シートを保持するシャーシは、矩形環状の保持面で光学シートの周縁部を保持し、保持面の一の辺側の縁部には光学シートの被係止孔を係止する係止部が立設されてある。保持面は、傾斜されているか、又は階段状に隆起が形成されてあることにより、係止部が立設されてある一の辺側の端部と開口部を挟んで反対側の辺側の面が、係止部の高さ分の範囲で前記一の辺側の面よりも表示パネル側に近接されてある。
2015068256.tif 000002
【特許請求の範囲】
【請求項１】
表示パネルと、該表示パネルの背面に設置される矩形状の光学シートと、矩形環状の保持面で前記光学シートの周縁部を保持する保持枠体とを備える表示装置において、
前記光学シートの一の辺側の縁部には、複数の被係止孔が前記一辺に沿って並設されており、
前記保持枠体は、
前記保持面の内、前記光学シートの前記一の辺に対応する一辺側の前記被係止孔に対応する箇所に、前記光学シートを係止する複数の係止部が立設されており、
前記保持面は、前記一辺と開口部を隔てて反対側の他辺側の面が、前記係止部の先端を通る前記表示パネルに平行な面から突出しない範囲で、前記一辺側の面よりも前記表示パネル側に近接されてある
ことを特徴とする表示装置。
【請求項２】
前記環状の保持面は、前記表示パネルに対し傾斜している
ことを特徴とする請求項１に記載の表示装置。
【請求項３】
前記保持面の内、両側辺部には、前記一辺側よりも前記他辺側が高くなるように段階的な隆起が形成されている
ことを特徴とする請求項１に記載の表示装置。
【発明の詳細な説明】
【技術分野】
【０００１】
本発明は、液晶パネルを用いて画像を表示する表示装置に関する。特に、表示装置を薄型としつつ、表示装置内で使用される光学シートの皺、撓み又は傷等による輝度ムラ、輝度低下等の不具合の発生を防止することができるシートの保持構造を有する表示装置に関する。
【背景技術】
【０００２】
液晶パネルを用いた表示装置には、光源からの光を拡散又は集光させるための光学シートが備えられている。光学シートは、液晶パネルと光源との間に設けられる。【０００３】
光学シートは、１又は複数の光学フィルムからなる。光学シートは、主として光源からの熱によって熱膨張するから、一部のみが位置決め部材に掛止されるなど、膨張分のゆとりを持たせて保持される。例えば、光学シートは矩形であって、一長辺側の縁部に複数の孔が設けられており、該複数の孔が、位置決め部材に設けられた位置決めピンに貫通されることによって掛止される。この場合、光学シートの前記一長辺の縁部以外の縁部は支持されないから、熱膨張したときに光学シートに皺又は撓みが発生しない。【０００４】
しかしながら、光学シートを位置決めピンにより掛止して保持する構造では、光学シートが面に垂直な方向に移動が可能であり、バタつきが発生する。振動試験又は運搬時等の強い振動が加えられる状況下では、光学シートのバタつきは周縁が擦れてシート傷を発生させる。光学シートにシート傷がある場合、表示装置の輝度ムラ、輝度低下等の不具合が発生する虞がある。【０００５】
特許文献１には、光源を収容するバックライトボックスの周壁の高さに傾斜を持たせ、周壁の端面で光学シートの周縁部を保持する構成が開示されている。詳細には、特許文献１におけるバックライトボックスは、一面が開放された矩形の箱状をなし、四方の周壁の内、底面の一長辺側の周壁の高さが他方の長辺側の周壁よりも高く、両短辺側の周壁は、前記一長辺側から前記他方の長辺側へ向けて低くなるようにしてあり、周端面が底面に対し所定の角度で傾斜している。該周端面には拡散板が固着され、前記他方の長辺側の周端面に光学シートの掛止部が設けられている。
【先行技術文献】
【特許文献】
【０００６】
【特許文献１】特開２００８−２７５８７０号
【発明の概要】
【発明が解決しようとする課題】
【０００７】
特許文献１に開示されている表示装置は、バックライトボックスの周壁の内、高い方の周壁を下にし、底面を鉛直方向に立たせた状態で使用される。このとき、光学シートは、低い方の周壁側の周端面に設けられている掛止部に吊り下げられるように保持される。バックライトボックスの周端面が底面に対し傾斜しているので、光学シートの周縁部の内、掛止部に対応する一縁部以外の周縁部は、傾斜しているバックライトボックスの拡散板に、自重によって押しつけられて密着し、安定する。これにより、光学シートが面に垂直な方向に動くバタつきの発生を抑止することができる。【０００８】
表示装置は、薄型化及び狭額縁化が求められている。光学シートの保持構造は、額縁に隠される限られた範囲内に、更に、厚み方向にも限られた空間内に設けられなければならない。【０００９】
特許文献１に開示されている発明では、光学シートのバタつきを抑止できる。しかしながら光学シートの傾斜角度は、光学シートの自重に応じた傾斜角度であり、光学シートの拡散板への密着性を維持すべく選定されるものであって、保持構造に対する空間の制限については考慮されていない。【００１０】
本発明は斯かる事情に鑑みてなされたものであり、薄型化及び狭額縁化の要請に対応しつつ、表示装置における光学シートのバタつきを抑止することができるシートの保持構造を有する表示装置を提供することを目的とする。
【課題を解決するための手段】
【００１１】
本発明に係る表示装置は、表示パネルと、該表示パネルの背面に設置される矩形状の光学シートと、矩形環状の保持面で前記光学シートの周縁部を保持する保持枠体とを備える表示装置において、前記光学シートの一の辺側の縁部には、複数の被係止孔が前記一辺に沿って並設されており、前記保持枠体は、前記保持面の内、前記光学シートの前記一の辺に対応する一辺側の前記被係止孔に対応する箇所に、前記光学シートを係止する複数の係止部が立設されており、前記保持面は、前記一辺と開口部を隔てて反対側の他辺側の面が、前記係止部の先端を通る前記表示パネルに平行な面から突出しない範囲で、前記一辺側の面よりも前記表示パネル側に近接されてあることを特徴とする。【００１２】
本発明に係る表示装置は、前記環状の保持面は、前記表示パネルに対し傾斜していることを特徴とする。【００１３】
本発明に係る表示装置は、前記保持面の内、両側辺部には、前記一辺側よりも前記他辺側が高くなるように段階的な隆起が形成されていることを特徴とする。【００１４】
本発明では、光学シートを保持する光学シート枠体における保持面と、表示パネルとの距離は、前記係止部が立設されている一辺側の面では、係止部の高さ分であり、開口部を隔てて反対側の他辺側の面では表示パネル側に近接している。したがって、係止部に係止される被係止孔と反対側の光学シートの自由端が収まる空間の厚み方向の空間距離は、被係止孔周辺よりも狭くなり、光学シートのバタつきが抑制される。更に、保持面と表示パネルとの距離は、前記係止部の高さ分の限られた範囲内である。【００１５】
本発明では、光学シートの周縁部を保持する保持面は、係止部と反対側が表示パネル側に近接するように傾斜している。これにより、光学シートは被係止孔が設けられている箇所と反対側の端部が表示パネルに漸近するように支持される。光学シートの被係止孔と反対側の自由端が収まる空間の厚み方向の空間距離は、被係止孔の周辺よりも狭くなる。これにより、光学シートのバタつきが抑制される。【００１６】
本発明では、光学シートを保持する保持面の内、係止部が立設されている一辺側の面と、他辺側の面との間の両側辺部は、係止部の高さ分よりも低い範囲で、前記反対側の面へ向けて階段状に高くなるように隆起されてある。これにより、光学シートの被係止孔の開設箇所以外の側縁部は、表示パネル側へ傾斜するように段差部分で支持される。光学シートの被係止孔と反対側の自由端が収まる空間の厚み方向の空間距離は、被係止孔の周辺よりも狭くなり、光学シートのバタつきが抑制される。
【発明の効果】
【００１７】
本発明による場合、表示装置におけるシートの厚み方向のバタつきを抑制することができる。これにより、薄型化及び狭額縁化の要請に対応しつつ、光学シートのシート傷を防止し、輝度ムラ、輝度低下等の不具合を防止することができる。
【図面の簡単な説明】
【００１８】
【図１】実施の形態１における表示装置の外観を示す正面図である。
【図２】実施の形態１における表示装置を構成する要部を模式的に示す分解斜視図である。
【図３】図１のＡ−Ａ´線による縦断面図である。
【図４】実施の形態１における第２シャーシを模式的に示す斜視図である。
【図５】図４のＢ−Ｂ´線による縦断面図である。
【図６】実施の形態２における第２シャーシを模式的に示す斜視図である。
【図７】図６のＣ−Ｃ´線による縦断面図である。
【発明を実施するための形態】
【００１９】
以下に、本発明の実施の形態について図面に基づき具体的に説明する。なお、以下に開示する実施の形態では、液晶パネルを用いた表示装置に、本発明を適用した例を挙げて詳細に説明する。
【００２０】
（実施の形態１）
図１は、実施の形態１における表示装置１００の外観を示す正面図である。表示装置１００は、液晶パネル１及び他の部品を、第１シャーシ２を含む他の複数のシャーシで位置決め収容してなる。
【００２１】
図２は、実施の形態１における表示装置１００を構成する要部を模式的に示す分解斜視図であり、図３は、図１のＡ−Ａ´線による縦断面図である。
【００２２】
表示装置１００は、液晶パネル１、第１シャーシ２、光学シート３、第２シャーシ４、導光板５２、光源５１、反射シート５３、及び第３シャーシ６を備える。
【００２３】
第１シャーシ２は、矩形状の枠体である。第１シャーシ２は、矩形の筒状の側板と、該側板の一端部から内向きに張り出した環状板の枠部とからなり、断面形状はＬ字である。
【００２４】
液晶パネル１は、表示パネルであり、矩形の平板状をなす。液晶パネル１は、アクティブマトリクス方式を採用している。液晶パネル１は、所定の間隔を設けて対向配置された２つの透明基板の間に液晶が封入されて構成される。液晶パネル１の表示面側には、偏光板、保護シート又はガラス板等が設けられていてもよい。なお液晶パネル１の表示面と反対側の面には、偏光板１１が設けられている。
【００２５】
光学シート３は、矩形状であり、例えば１枚のプリズムシートを２枚の拡散シートで挟んだ３枚の光学シート群である。光学シート３は、一長辺に、５つの耳部３１を有する。各耳部３１は、先細の台形状をなす。各耳部３１には、被係止孔３２が設けられている。被係止孔３２は、光学シート３の長手方向に長い長円形状をなす。
【００２６】
第２シャーシ４は、矩形平板状の保持板４０の外周縁に周板４６を設け、保持板４０の中央部に矩形状の開口部を設けてなる枠体である（図４参照）。第２シャーシ４の断面形状は、図３に示すように、保持板４０を縦線とし、周板４６を横線とするＴ字形であるが、両長辺側では、保持板４０の一方の面４１が周板４６に対し垂直でない。保持板４０の一方の面の短辺方向と周板４６の法線方向とがなす傾斜角度については、詳細を後述する。
【００２７】
また第２シャーシ４は、保持板４０の一方の面４１の一長辺側の縁部に、長手方向に並設された複数の係止部４３ａ，４３ｂを備える。複数の係止部４３ａ，４３ｂは、中央の係止部４３ａと、他の係止部４３ｂとで、計５つからなる。係止部４３ａ，４３ｂは夫々、保持板４０の一方の面４１から立設されてある。係止部４３ａ，４３ｂは、断面が保持板４０の長手方向に長い長円形状をしており、他の係止部４３ｂの断面長円の長さは、中央の係止部４３ａの断面長円の長さよりも短い。
【００２８】
第２シャーシ４の保持板４０の一方の面４１には外周縁部に凸部４４が周設されている。凸部４４は、周板４６と直交する環状の平面を有する。また第２シャーシ４の保持板４０の前記面４１とは反対側の面４２の外周縁には、周方向の溝が設けられている。
【００２９】
光源５１は、長細の基板５４に、複数の発光ダイオード（ LED：Light Emitting Diode）５５を長手方向に並設して実現されている。
【００３０】
導光板５２は、矩形の平板形状をなす。導光板５２は、例えばアクリル等の透明度が高い樹脂製である。導光板５２は、一長辺側の縁部に、３つの切り欠き５６を有する。切り欠き５６は夫々、導光板５２を厚み方向に矩形に切り欠くことによって形成される。
【００３１】
反射シート５３は、矩形状であって反射機能を有する光学シートである。反射シート５３は、一長辺に、３つの凸部５７を有している。各凸部５７には、略円形の孔５８が設けられている。
【００３２】
第３シャーシ６は、一面が開放された矩形の箱体をなす。第３シャーシ６には、底面の一長辺側の縁部に、３つの柱状部材６１が長手方向に沿って並設されている。各柱状部材６１は、略円柱形状をなし、第３シャーシ６の底面から垂直に立設されている。
【００３３】
上述した各要部は、以下のように組み立てられて表示装置１００を構成する。
【００３４】
まず、第３シャーシ６の底面上に、反射シート５３が設置される。反射シート５３の３つの凸部５７と、第３シャーシ６の３つの柱状部材６１とは、対応する位置関係にある。凸部５７の孔５８は、柱状部材６１の断面形状と略等しい形状を有する。反射シート５３は、３つの凸部５７の孔５８に、第３シャーシ６の３つの柱状部材６１を夫々挿通させることで保持される。
【００３５】
第３シャーシ６の柱状部材６１が設けられている側と反対の一長辺側の側面内側に長手方向に沿って、光源５１が、出射方向が内向きになるように設置される。
【００３６】
第３シャーシ６には導光板５２も設置される。導光板５２は、切り欠き５６とは反対側の端面を光源５１と対向させ、一広面が反射シート５３の反射面と対向するように設置される。導光板５２の広面の大きさは、反射シート５３の大きさと略等しいか少し小さい。また、導光板５２の一長辺の長さは、光源５１の発光ダイオード５５の並設長と略等しい。導光板５２の３つの切り欠き５６は、反射シート５３の孔５８に挿通された柱状部材６１を回避するために設けてある。
【００３７】
次に、第２シャーシ４が、第３シャーシ６の開放された一面を保持板４０で覆うように設置される。第２シャーシ４の周板４６の内周は、第３シャーシ６の側板外周よりも大きい。光源５１、導光板５２、反射シート５３及びその他部品が載置された第３シャーシ６の側板外周に、第２シャーシ４の周板４６の内周が嵌め合わせられる。このとき、第２シャーシ４の係止部４３ａ，４３ｂ側の一長辺が、導光板５２の切り欠き５６側に対応するように、且つ、保持板４０の係止部４３ａ，４３ｂが備えられている面４１とは反対側の面４２が第３シャーシ６へ向くように嵌め合わせられる。更に、図３に示すように第３シャーシ６の側板の周端面が、保持板４０の面４２に設けられている溝に嵌るようにしてある。第２シャーシ４と第３シャーシ６とが嵌め合わされることで、反射シート５３及び導光板５２が位置決めされる。第２シャーシ４の保持板４０における開口部の大きさは、導光板５２の広面よりも小さく、第２シャーシ４の保持板４０の面４２が、スペーサ８３を介して導光板５２の周縁部を押さえるようにしてある。
【００３８】
光源５１からの線状の光は、導光板５２の光源５１に対向する端面から導光板５２内部へ入射し、反射シート５３での全反射と他面での部分反射を繰り返し、導光板５２内を進行する。導光板５２内の光は、反射シート５３と反対側の広面から平面光として出射される。このようにして、エッジライト方式による光源装置が実現される。
【００３９】
光学シート３は、第２シャーシ４の保持板４０の開口部を覆うように第２シャーシ４に保持される。光学シート３の大きさは、第２シャーシ４の開口部よりも大きく、光学シート３の周縁部が保持板４０の環状の面（以下、保持面という）４１で保持される。第２シャーシ４は、各係止部４３ａ，４３ｂに、光学シート３の耳部３１の被係止孔３２を係止させることで光学シート３を位置決めして保持する。中央の係止部４３ａの断面形状は、光学シート３の中央の耳部３１の被係止孔３２の形状と略等しい。これにより、光学シート３が第２シャーシ４において精度良く位置決めされる。他の係止部４３ｂの断面の長手方向の長さは、光学シートの他の耳部３１の被係止孔３２の長手方向の長さよりも短い。つまり、他の係止部４３ｂでは、係止部４３ｂと、被係止孔３２との間に隙間がある。これにより、光学シート３が熱膨張した場合にも、係止部４３ｂと被係止孔３２との間の隙間の範囲内で、被係止孔３２で熱膨張分を吸収できるから、光学シート３は皺にならない。係止部４３ａ，４３ｂの立設方向の長さ（高さ）は、光学シート３のシート厚よりも少し長い。なお、第２シャーシ４の保持面４１は導光板５２に対して傾斜している。したがって、第２シャーシ４の保持面４１で保持される光学シート３は、導光板５２に対し短手方向に傾斜した姿勢で保持される。このように第２シャーシ４により保持された光学シート３は、導光板５２側の一面に入射された光を拡散させ、より均一な輝度分布を持つ平面光を反対面から出射する。
【００４０】
液晶パネル１は、光学シート３の導光板５２側と反対側の位置に、表示面を光学シート３とは反対側へ向けるようにして設けられる。液晶パネル１の大きさは、光学シート３よりも少し大きい。液晶パネル１は、第２シャーシ４の保持板４０における凸部４４の環状の平坦な面にスペーサ８２を介して載置され、第１シャーシ２の枠部との間でスペーサ８１を介して挟持される。液晶パネルの表示面と反対側の面に貼付される偏光板１１は、液晶パネル１よりも小さく、また、光学シート３よりも少し小さい。液晶パネル１の周縁部、つまり偏光板１１の余剰部分が、スペーサ８２を介して凸部４４に保持される。このとき、偏光板１１は、第２シャーシ４の係止部４３ａ，４３ｂの先端部と当接するようにしてある。液晶パネル１は、第２シャーシ４の周板４６と垂直な凸部４４の面に載置されるから、導光板５２とは略平行であるが、光学シート３とは平行でない。
【００４１】
第１シャーシ２の開口部の大きさは、液晶パネル１の表示面よりも小さく、第１シャーシ２の側板外周は、第２シャーシ４の周板４６の外周よりも大きい。第１シャーシ２の側板の内側に、第２シャーシ４の周面４６の外側が嵌め合わされるようにしてある。このとき、液晶パネル１の表示面は第１シャーシ２の開口部から露出し、外部から視認が可能である。
【００４２】
このように構成される表示装置１００では、光学シート３から出射した均一な輝度分布を持つ平面光が、液晶パネル１の表示面と反対側に入射され、液晶パネル１にて、画像信号に基づき、複数の画素に応じた箇所で変調される。これにより、視聴者は表示装置１００にて動画像を視認することができる。
【００４３】
表示装置１００では、薄型化及び狭額縁化が求められている。狭額縁化を実現し、且つ表示装置１００内部の熱による膨張を考慮した場合、光学シート３を、上述したような係止部で被係止孔を係止する枠状のシャーシにて保持する構造が好ましい。しかしながらこの場合、光学シート３は自由端を有するから、振動試験時又は運搬時等の特異な状況下におけるシート傷を防止するため、厚み方向でのバタつきの抑止が課題となり、且つ、バタつきの抑止を薄型化の要請に対応させて実現することが必要となる。
【００４４】
そこで実施の形態１における表示装置１００の第２シャーシ４は、限られた空間内で光学シート３の厚み方向でのバタつきを抑えることが可能な保持構造を有する。以下、第２シャーシ４の構造について詳細に説明する。
【００４５】
図４は、実施の形態１における第２シャーシ４を模式的に示す斜視図であり、図５は、図４のＢ−Ｂ´線による縦断面図である。図５は、第２シャーシ４の保持板４０の内、一短辺側の縁部を短手方向に切断した場合の断面を示している。なお、図５中の破線は、保持される光学シート３の断面の輪郭を示している。
【００４６】
第１シャーシ２、第２シャーシ４及び第３シャーシ６により、導光板５２及び液晶パネル１は、周板４６と垂直な面と略平行に位置決めされる。図５中の一点鎖線は、液晶パネル１の表示面と反対面に貼付される偏光板１１の後面に相当し（図３参照）、周板４６と垂直な面と略平行である。これに対し、図４及び図５に示すように、第２シャーシ４の保持板４０の短手方向は、周板４６と垂直でない。保持板４０は、係止部４３ａ，４３ｂが設けられている一長辺側が導光板５２側へ倒れるように傾斜しており、その傾斜角度は、係止部４３ａ，４３ｂの先端が偏光板１１の面に当接しているときに、他の長辺が前記偏光板１１の面よりも液晶パネル１側に突出しない範囲である。
【００４７】
詳細には、保持板４０の傾斜角度（周板４６の法線に対して保持板４０の短手方向がなす角度）は、係止部４３ａ，４３ｂの高さの内、光学シート３のシート厚からの余剰部分の長さの線分を１辺とし、光学シート３の短手方向の長さの線分を２辺とする二等辺三角形の頂角の角度に略相当する。係止部４３ａ，４３ｂの高さの内、光学シート３のシート厚からの余剰部分の長さに、偏光板１１の厚み分の長さを加えた分を１辺とした二等辺三角形の頂角の角度でもよい。なお、この傾斜角度は、当該角度で光学シート３を傾斜させたとしても、液晶パネル１での輝度ムラを起こさない程度である。
【００４８】
光学シート３は、周縁部を保持板４０の保持面４１で保持されるから、導光板５２及び液晶パネル１に対し、上述の傾斜角度で傾斜して設置される。液晶パネル１が、偏光板１１を係止部４３ａ，４３ｂの先端に当接させるようにして第２シャーシ４に設置させた状態において、偏光板１１と保持面４１との間の距離（太線矢印）は、係止部４３ａ，４３ｂが備えられている一長辺側では係止部４３ａ，４３ｂの高さ分であるのに対し、他方の長辺側では、光学シート３のシート厚程度である。したがって、第２シャーシ４の保持面４１に保持される光学シート３における被係止孔３２が設けられている側と反対側の縁部は、バタつく隙間がほとんどない（図３参照）。
【００４９】
このような保持構造により、第２シャーシ４の係止部４３ａ，４３ｂの高さ分の空間距離の範囲で、光学シート３の面と垂直な方向でのバタつきを抑止し、光学シート３の傷つきを防止することができる。光学シート３の液晶パネル１に対する傾斜角度は、前記係止部４３ａ，４３ｂの高さ分の空間距離に収まる範囲内であるから、薄型の表示装置１００における限られた空間でも、光学シート３のバタつきを抑止することができる。
【００５０】
表示装置１００の光源装置は、上述したような発光ダイオード５５を用いたエッジライト方式に限るものではない。光源５１は基板５４及び発光ダイオード５５からなるものに限らず、冷陰極蛍光ランプ（CCFL：Cold Cathode Fluorescent Lamp）、熱陰極管（HCFL：Hot Cathode Fluorescent Lamp）、外部電極蛍光ランプ（EEFL：External Electrode Fluorescent Lamp）等であってもよい。なお、光源５１は、第３シャーシ６内側の長辺側の一側面から内向きに光を出射するように設置されたが、これに限らず、短辺側の側面から内向きに光を出射するように設置する構成であってもよい。
【００５１】
（実施の形態２）
光学シート３をバタつかせないための第２シャーシ４の構造は、以下に示す実施の形態２のような構造であってもよい。図６は、実施の形態２における第２シャーシ７を模式的に示す斜視図であり、図７は、図６のＢ−Ｂ´線による縦断面図である。図７は、第２シャーシ７の保持板７０の一短辺側の縁部を短手方向に切断した場合の断面を示している。なお、図７中の破線は、保持される光学シート３の断面の輪郭を示している。
【００５２】
第２シャーシ７は、実施の形態１における第２シャーシ４にそのまま代替して使用できる。したがって、表示装置１００の他の要部の構成、及び、第２シャーシ７の他の要部との関係についての詳細な説明は省略する。
【００５３】
第２シャーシ７は、矩形平板状の保持板７０の外周縁に周板７６を設け、保持板７０の中央部に矩形状の開口部に設けてなる枠体である。第２シャーシ７の断面形状は、図３に示したように、保持板７０を縦線とし、周板７６を横線とするＴ字形である。実施の形態２における第２シャーシ７では、両長辺においても保持板７０と周板７６とは垂直である。ただし、保持板７０は、一方の面７１が一長辺側から他方の長辺側へ３段の階段状に隆起した構造を有している。換言すれば、保持板７０は一長辺側から他方の長辺側に向かって厚みが段階的に厚くなっている。該一方の面７１には、両長辺の外縁に沿うように凸部７４が縁設されており、一長辺側の凸部７４は、他方の長辺側の凸部７４よりも高く設けられ、両長辺側の凸部７４における保持板７０の厚みは略等しい。
【００５４】
また第２シャーシ７は、保持板７０の一方の面７１の内、厚みが薄い方の一長辺側の縁部に、該一長辺に沿って複数の係止部７３ａ，７３ｂを備える。複数の係止部７３ａ，７３ｂは、中央の係止部７３ａと、他の係止部７３ｂとで、計５つからなる。係止部７３ａ，７３ｂは夫々、保持板７０の一方の面７１から垂直に立設されてある。係止部７３ａ，７３ｂは、断面が保持板７０の長手方向に長い長円形状をしており、他の係止部７３ａの断面長円の長さは、中央の係止部７３ｂの断面長辺の長さよりも短い。
【００５５】
第２シャーシ７の保持板７０の階段状に隆起した面７１において、最も高い隆起部の高さは、係止部７３ａ，７３ｂの高さよりも少し低い。最も高い隆起部の高さと、係止部７３ａ，７３ｂの高さとの差分は、概ね光学シート３のシート厚分である。
【００５６】
また第２シャーシ７の保持板７０の前記面７１とは反対側の面７２の外周縁には、周方向の溝が設けられている。
【００５７】
実施の形態２における第２シャーシ７を、第３シャーシ６と嵌め合わせる際には、第２シャーシ７の係止部７３ａ，７３ｂ側の一長辺が、導光板５２の切り欠き５６側に対応するように、且つ、係止部７３ａ，７３ｂが備えられている面７１とは反対側の面７２が第３シャーシ６へ向くようにして、第２シャーシ７の周板７６の内周に第３シャーシ６の側板外周が嵌め合わせられる。更にこのとき、第３シャーシ６の側板の周端面が、第２シャーシ７の面７２に設けられている溝に嵌るようにしてある。実施の形態２における第２シャーシ７の面７２は、導光板５２と略平行となるからスペーサ８５及びスペーサ８６の厚みは略等しい。
【００５８】
図６及び図７に示すように、第２シャーシ７の保持板７０の光学シート３を保持する面（保持面という）７１は、係止部７３ａ，７３ｂが設けられている一長辺側から他方の長辺側へ向かって階段状に隆起している。このような第２シャーシ７と、第１シャーシ２及び第３シャーシ６により、導光板５２及び液晶パネル１は、周板７６と垂直な面と略平行に位置決めされる。図７中の一点鎖線は、液晶パネル１の表示面と反対面に設けられる偏光板１１の面に相当し（図３参照）、周板７６と垂直な面と略平行である。
【００５９】
光学シート３は、周縁部を保持板７０の保持面７１で保持される。このとき、光学シート３は、張りのある性質上、保持面７１の階段状の面の内、２つの段差部分で長手方向の線状に当接し、導光板５２及び液晶パネル１に対して短手方向に傾斜して設置される。
【００６０】
このときの光学シート３の液晶パネル１に対する傾斜角度は、係止部７３ａ，７３ｂの立設方向の、光学シート３のシート厚からの余剰部分の長さの線分を１辺とし、光学シート３の短手方向の長さの線分を２辺とする二等辺三角形の頂角の角度に略相当する。なお、この傾斜角度は、当該角度で光学シート３を傾斜させたとしても、液晶パネル１での輝度ムラを起こさない程度である。
【００６１】
このように光学シート３を保持することにより、液晶パネル１が偏光板１１を係止部７３ａ，７３ｂの先端に当接させるようにして第２シャーシ７に設置された状態において、偏光板１１と保持面７１との間の距離（太線矢印）は、係止部７３ａ，７３ｂが備えられている一長辺側では係止部７３ａ，７３ｂの高さ分であるのに対し、他方の長辺側では、光学シート３のシート厚程度である。したがって、被係止孔３２が設けられている側と反対側の光学シート３の縁部は、バタつく隙間がほとんどない（図３参照）。
【００６２】
このような保持構造により、第２シャーシ７の係止部７３ａ，７３ｂの高さ分の空間距離の範囲で、光学シート３の面と垂直な方向でのバタつきを抑止し、光学シート３の傷つきを防止することができる。光学シート３の液晶パネル１に対する傾きは、前記係止部７３ａ，７３ｂの高さ分の空間距離に収まる範囲内であるから、薄型の表示装置１００における限られた空間でも、光学シート３のバタつきを抑止することができる。
【００６３】
光学シート３を保持するシャーシの形状は、上述の実施の形態１及び２で示した第２シャーシ４又は第２シャーシ７の形状に限られない。光学シート３を第２シャーシで保持させたときに、光学シート３の被係止孔３２と反対側の縁辺が、厚み方向において第２シャーシの係止部の先端と同程度となるようにする保持構造は、他の形状でも実現できる。
【００６４】
例えば、第２シャーシの保持面の両短辺に対応する縁部に複数の凸部を立設させ、該複数の凸部は、係止部が設けられている一長辺側から他方の一長辺側へ向けて、段階的に長さが長くなるようにしてある構成とする。このとき、他方の一長辺側の凸部の長さは、係止部の先端までの長さよりも、光学シート３のシート厚分程度に短くなるようにしてある。そして、他方の一長辺側には、光学シート３の被係止孔３２と反対側の縁辺を保持する凸部を設け、該凸部の長さも係止部の先端までの長さよりも短くなるようにしてある。これにより、光学シート３の被係止孔３２と反対側の縁辺が収まる空間の厚み方向の長さは、シート厚程度となる。なお保持面に立設される凸部の形状は、限定されない。例えば、凸部は、先端に光学シート３の面と沿うように傾斜面を有していてもよいし、短辺方向又は長辺方向に平行なリブ状に構成されてもよいし、光学シート３を点で保持するように突端部を有していてもよい。
【００６５】
光学シート３の被係止孔３２は、実施の形態１及び２で示したように一長辺側の縁部に設けられる形状に限られない。光学シート３の被係止孔３２は、光学シートの短辺及び長辺の２辺に複数設けられる場合がある。この場合も、第２シャーシ４（又は７）の２長辺の内、係止部４３ａ，４３ｂ（７３ａ，７３ｂ）が設けられてある長辺とは反対側の長辺側の縁部が液晶パネル１側に近づくように、傾斜した保持面４１又は階段状の隆起を持つ保持面７１にて光学シート３を傾斜するように保持する。
【００６６】
開示された実施の形態は、全ての点で例示であって制限的なものではないと考えられるべきである。本発明の範囲は上述の説明ではなくて請求の範囲によって示され、請求の範囲と均等の意味及び範囲内での全ての変更が含まれることが意図される。
【符号の説明】
【００６７】
１  液晶パネル
１００，１０１  表示装置
３  光学シート
３２  被係止孔
４，７  第２シャーシ（光学シート枠体）
４０，７０  保持板
４１，７１  保持面
４３ａ，４３ｂ，７３ａ，７３ｂ  係止部
【図１】
2015068256.tif 000003
【図２】
2015068256.tif 000004
【図３】
2015068256.tif 000005
【図４】
2015068256.tif 000006
【図５】
2015068256.tif 000007
【図６】
2015068256.tif 000008
【図７】
2015068256.tif 000009
【手続補正書】
【提出日】平成28年5月6日(2016.5.6)
【手続補正１】
【補正対象書類名】明細書
【補正対象項目名】００１８
【補正方法】変更
【補正の内容】
【００１８】
【図１】実施の形態１における表示装置の外観を示す正面図である。
【図２】実施の形態１における表示装置を構成する要部を模式的に示す分解斜視図である。
【図３】図１のＡ−Ａ´線による縦断面図である。
【図４】実施の形態１における第２シャーシの縦断面図である。
【図５】実施の形態２における第２シャーシを模式的に示す斜視図である。
【図６】図５のＣ−Ｃ´線による縦断面図である。
【手続補正２】
【補正対象書類名】明細書
【補正対象項目名】００２６
【補正方法】変更
【補正の内容】
【００２６】
第２シャーシ４は、矩形平板状の保持板４０の外周縁に周板４６を設け、保持板４０の中央部に矩形状の開口部を設けてなる枠体である。第２シャーシ４の断面形状は、図３に示すように、保持板４０を縦線とし、周板４６を横線とするＴ字形であるが、両長辺側では、保持板４０の一方の面４１が周板４６に対し垂直でない。保持板４０の一方の面の短辺方向と周板４６の法線方向とがなす傾斜角度については、詳細を後述する。
【手続補正３】
【補正対象書類名】明細書
【補正対象項目名】００４５
【補正方法】変更
【補正の内容】
【００４５】
図４は、実施の形態１における第２シャーシ４の縦断面図である。図４は、第２シャーシ４の保持板４０の内、一短辺側の縁部を短手方向に切断した場合の断面を示している。なお、図４中の破線は、保持される光学シート３の断面の輪郭を示している。
【手続補正４】
【補正対象書類名】明細書
【補正対象項目名】００４６
【補正方法】変更
【補正の内容】
【００４６】
第１シャーシ２、第２シャーシ４及び第３シャーシ６により、導光板５２及び液晶パネル１は、周板４６と垂直な面と略平行に位置決めされる。図４中の一点鎖線は、液晶パネル１の表示面と反対面に貼付される偏光板１１の後面に相当し（図３参照）、周板４６と垂直な面と略平行である。これに対し、図４に示すように、第２シャーシ４の保持板４０の短手方向は、周板４６と垂直でない。保持板４０は、係止部４３ａ，４３ｂが設けられている一長辺側が導光板５２側へ倒れるように傾斜しており、その傾斜角度は、係止部４３ａ，４３ｂの先端が偏光板１１の面に当接しているときに、他の長辺が前記偏光板１１の面よりも液晶パネル１側に突出しない範囲である。
【手続補正５】
【補正対象書類名】明細書
【補正対象項目名】００５１
【補正方法】変更
【補正の内容】
【００５１】
（実施の形態２）
光学シート３をバタつかせないための第２シャーシ４の構造は、以下に示す実施の形態２のような構造であってもよい。図５は、実施の形態２における第２シャーシ７を模式的に示す斜視図であり、図６は、図５のＣ−Ｃ´線による縦断面図である。図６は、第２シャーシ７の保持板７０の一短辺側の縁部を短手方向に切断した場合の断面を示している。なお、図６中の破線は、保持される光学シート３の断面の輪郭を示している。
【手続補正６】
【補正対象書類名】明細書
【補正対象項目名】００５３
【補正方法】変更
【補正の内容】
【００５３】
第２シャーシ７は、矩形平板状の保持板７０の外周縁に周板７６を設け、保持板７０の中央部に矩形状の開口部に設けてなる枠体である。第２シャーシ７の断面形状は、図３に示したように、保持板７０を縦線とし、周板７６を横線とするＴ字形である。実施の形態２における第２シャーシ７では、両長辺においても保持板７０と周板７６とは垂直である。ただし、保持板７０は、一方の面７１が一長辺側から他方の長辺側へ３段の階段状に隆起した構造を有している。換言すれば、保持板７０は一長辺側から他方の長辺側に向かって厚みが段階的に厚くなっている。
【手続補正７】
【補正対象書類名】明細書
【補正対象項目名】００５７
【補正方法】変更
【補正の内容】
【００５７】
実施の形態２における第２シャーシ７を、第３シャーシ６と嵌め合わせる際には、第２シャーシ７の係止部７３ａ，７３ｂ側の一長辺が、導光板５２の切り欠き５６側に対応するように、且つ、係止部７３ａ，７３ｂが備えられている面７１とは反対側の面７２が第３シャーシ６へ向くようにして、第２シャーシ７の周板７６の内周に第３シャーシ６の側板外周が嵌め合わせられる。更にこのとき、第３シャーシ６の側板の周端面が、第２シャーシ７の面７２に設けられている溝に嵌るようにしてある。実施の形態２における第２シャーシ７の面７２は、導光板５２と略平行となるからスペーサ８３の厚みは一定である。
【手続補正８】
【補正対象書類名】明細書
【補正対象項目名】００５８
【補正方法】変更
【補正の内容】
【００５８】
図５及び図６に示すように、第２シャーシ７の保持板７０の光学シート３を保持する面（保持面という）７１は、係止部７３ａ，７３ｂが設けられている一長辺側から他方の長辺側へ向かって階段状に隆起している。このような第２シャーシ７と、第１シャーシ２及び第３シャーシ６により、導光板５２及び液晶パネル１は、周板７６と垂直な面と略平行に位置決めされる。図６中の一点鎖線は、液晶パネル１の表示面と反対面に設けられる偏光板１１の面に相当し（図３参照）、周板７６と垂直な面と略平行である。
【手続補正９】
【補正対象書類名】図面
【補正対象項目名】全図
【補正方法】変更
【補正の内容】
【図１】
2015068256.tif 000010
【図２】
2015068256.tif 000011
【図３】
2015068256.tif 000012
【図４】
2015068256.tif 000013
【図５】
2015068256.tif 000014
【図６】
2015068256.tif 000015
【国際調査報告】
2015068256.tif 000016
2015068256.tif 000017
2015068256.tif 000018
2015068256.tif 000019